(57)【要約】衛星ディジタル放送を視聴するときに必要な装置管理情報や装置制御情報を、当該情報を管理する管理センタ装置と送受信する通信回路を含む衛星ディジタル放送受信装置が提供される。上記通信回路のＶｏＩＰインターフェース回路は、ＩＰ（ＩｎｔｅｒｎｅｔＰｒｏｔｏｃｏｌ）網に接続され、装置管理情報を含むデータをＶｏＩＰ（Ｖｏｉｃｅ  ｏｖｅｒ  ＩｎｔｅｒｎｅｔＰｒｏｔｏｃｏｌ）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信する。
2004030291.tif 000002
【特許請求の範囲】
【請求項１】
衛星ディジタル放送を視聴するときに必要な装置管理情報や装置制御情報を、当該装置管理情報や装置制御情報を管理する管理センタ装置と送受信する通信回路を備えた衛星ディジタル放送受信装置において、
上記通信回路は、ＩＰ（Ｉｎｔｅｒｎｅｔ  Ｐｒｏｔｏｃｏｌ）網に接続され、装置管理情報を含むデータをＶｏＩＰ（Ｖｏｉｃｅ  ｏｖｅｒ  Ｉｎｔｅｒｎｅｔ  Ｐｒｏｔｏｃｏｌ）パケット信号を用いて上記ＩＰ網及びアクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介してＶｏＩＰパケット信号を用いて受信するＶｏＩＰインターフェース回路を備えたことを特徴とする衛星ディジタル放送受信装置。
【請求項２】
上記ＶｏＩＰインターフェース回路は、装置管理情報を含むデータを上記ＩＰ網、ゲートウエイ装置、公衆電話網及び上記アクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介して受信することを特徴とする請求項１記載の衛星ディジタル放送受信装置。
【請求項３】
上記ＶｏＩＰパケット信号は、装置管理情報又は装置制御情報のデータに、ＩＰヘッダ、ＵＤＰヘッダ及びＲＴＰヘッダが付加されて構成されたことを特徴とする請求項１又は２記載の衛星ディジタル放送受信装置。
【請求項４】
上記アクセスポイント通信装置の電話番号を格納する記憶装置と、
上記電話番号から上記ゲートウエイ装置のアドレスを発生する制御手段とを備え、
上記ＶｏＩＰインターフェース回路は、上記発生されたアドレスを宛先アドレスとして用いて、上記装置管理情報を含むデータを含むＶｏＩＰパケット信号を上記ＩＰ網を介して上記ゲートウエイ装置に送信することを特徴とする請求項１乃至３のうちのいずれか１つに記載の衛星ディジタル放送受信装置。
【請求項５】
上記アクセスポイント通信装置の電話番号を格納する記憶装置と、
上記電話番号を含む問い合わせ信号を所定のサーバ装置に送信して、これに応答して返信される上記ゲートウエイ装置のアドレスを受信する制御手段とを備え、
上記ＶｏＩＰインターフェース回路は、上記受信されたアドレスを宛先アドレスとして用いて、上記装置管理情報を含むデータを含むＶｏＩＰパケット信号を上記ＩＰ網を介して上記ゲートウエイ装置に送信することを特徴とする請求項１乃至３のうちのいずれか１つに記載の衛星ディジタル放送受信装置。
【請求項６】
上記ＶｏＩＰインターフェース回路は、上記装置管理情報を含むデータを複数のＶｏＩＰパケットに分割して伝送し、上記管理センタ装置からの肯定応答信号に応答して次のＶｏＩＰパケット信号を送信することを特徴とする請求項１乃至５のうちのいずれか１つに記載の衛星ディジタル放送受信装置。
【請求項７】
衛星ディジタル放送を視聴するときに必要な装置管理情報や装置制御情報を、当該装置管理情報や装置制御情報を管理する管理センタ装置と送受信する通信回路を備えた衛星ディジタル放送受信装置のためのＶｏＩＰアダプタ装置であって、
上記通信回路に接続される電話モデムと、
上記電話モデム及びＩＰ（Ｉｎｔｅｒｎｅｔ  Ｐｒｏｔｏｃｏｌ）網に接続されたＶｏＩＰインターフェース回路とを備え、
上記ＶｏＩＰインターフェース回路は、上記通信回路から上記電話モデムを介して受信される装置管理情報を含むデータをＶｏＩＰ（Ｖｏｉｃｅ  ｏｖｅｒ  Ｉｎｔｅｒｎｅｔ  Ｐｒｏｔｏｃｏｌ）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信して、上記電話モデムを介して上記通信回路に出力することを特徴とする衛星ディジタル放送受信装置のためのＶｏＩＰアダプタ装置。
【請求項８】
上記ＶｏＩＰインターフェース回路は、装置管理情報を含むデータを上記ＩＰ網、ゲートウエイ装置、公衆電話網及び上記アクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介して受信することを特徴とする請求項７記載のＶｏＩＰアダプタ装置。
【請求項９】
上記ＶｏＩＰパケット信号は、装置管理情報又は装置制御情報のデータに、ＩＰヘッダ、ＵＤＰヘッダ及びＲＴＰヘッダが付加されて構成されたことを特徴とする請求項７又は８記載のＶｏＩＰアダプタ装置。
【発明の詳細な説明】
【技術分野】  本発明は、衛星ディジタル放送での有料放送を視聴するときに必要な装置管理情報や装置制御情報を、当該装置管理情報や装置制御情報を管理する管理センタ装置と送受信する通信手段を備えた衛星ディジタル放送受信装置に関する。
【背景技術】  近年、衛星ディジタル放送での有料放送を視聴するには、衛星ディジタル放送装置に具備されたＩＣカードインターフェース回路に挿入されたＩＣカードに記録、保存される有料放送の視聴履歴情報などの装置管理情報を、それらの情報を管理する視聴情報収集センタの管理センタ装置にアップロードするとともに、当該管理センタ装置から次回のアップロード日時、有料放送視聴の有効期限などの装置制御情報をダウンロードする機能が衛星ディジタル放送受信装置に必要である。
日本国内で使用される衛星ディジタル放送受信装置においては、装置管理情報をアップロードし、装置制御情報をダウンロードするときの衛星ディジタル放送受信装置と管理センタ装置との間の通信シーケンスやデータフォーマットなどは、先行技術文献「社団法人電波産業会発行の刊行物「デジタル放送における限定受信方式標準規格」ＡＲＩＢ  ＳＴＤ−Ｂ２５  ３．０版、２００１年５月発行」において規定されている。また、当該標準規格に関連する「テレビジョン受像機」が日本国特許出願公開平成１０−１７４０７９Ａ号において開示され、さらに、当該標準規格に関連する「衛星放送の課金通信方法」が日本国特許出願公開平成１１−１８７３７６Ａ号において開示されている。
上記先行技術文献において規定された標準規格では、衛星ディジタル放送受信装置から管理センタ装置への接続は公衆電話網を使用している。近年、電話利用料金が従来の公衆電話網を利用したときの利用料金よりも安価なＩＰ電話回線などのＩＰ網が普及し始めているが、これを利用することができないという問題点があった。
本発明の第１の目的は、衛星ディジタル放送受信装置から管理センタ装置への接続においてＩＰ網を使用することができる衛星ディジタル放送受信装置を提供することにある。
また、本発明の第２の目的は、衛星ディジタル放送受信装置から管理センタ装置への接続においてＩＰ網を使用し、管理センタ装置に対して自動的に通信接続を行うことができる衛星ディジタル放送受信装置を提供することにある。
さらに、本発明の第３の目的は、衛星ディジタル放送受信装置から管理センタ装置への接続においてＩＰ網を使用し、管理センタ装置との間で装置管理情報や装置制御情報を確実に送受信することができる衛星ディジタル放送受信装置を提供することにある。
またさらに、本発明の第４の目的は、既存の衛星ディジタル放送受信装置を用いて、簡単に、衛星ディジタル放送受信装置から管理センタ装置への接続においてＩＰ網を使用することができるＶｏＩＰアダプタ装置を提供することにある。
【発明の開示】
本発明に係る衛星ディジタル放送受信装置は、衛星ディジタル放送を視聴するときに必要な装置管理情報や装置制御情報を、当該装置管理情報や装置制御情報を管理する管理センタ装置と送受信する通信回路を備えた衛星ディジタル放送受信装置において、
上記通信回路は、ＩＰ（Ｉｎｔｅｒｎｅｔ  Ｐｒｏｔｏｃｏｌ）網に接続され、装置管理情報を含むデータをＶｏＩＰ（Ｖｏｉｃｅ  ｏｖｅｒ  Ｉｎｔｅｒｎｅｔ  Ｐｒｏｔｏｃｏｌ）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信するＶｏＩＰインターフェース回路を備えたことを特徴とする。
上記衛星ディジタル放送受信装置において、上記ＶｏＩＰインターフェース回路は、装置管理情報を含むデータを上記ＩＰ網、ゲートウエイ装置、公衆電話網及び上記アクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介して受信することを特徴とする。
また、上記衛星ディジタル放送受信装置において、上記ＶｏＩＰパケット信号は、装置管理情報又は装置制御情報のデータに、ＩＰヘッダ、ＵＤＰヘッダ及びＲＴＰヘッダが付加されて構成されたことを特徴とする。
さらに、上記衛星ディジタル放送受信装置において、上記アクセスポイント通信装置の電話番号を格納する記憶装置と、上記電話番号から上記ゲートウエイ装置のアドレスを発生する制御手段とを備え、上記ＶｏＩＰインターフェース回路は、上記発生されたアドレスを宛先アドレスとして用いて、上記装置管理情報を含むデータを含むＶｏＩＰパケット信号を上記ＩＰ網を介して上記ゲートウエイ装置に送信することを特徴とする。とって代わって、上記衛星ディジタル放送受信装置において、上記アクセスポイント通信装置の電話番号を格納する記憶装置と、上記電話番号を含む問い合わせ信号を所定のサーバ装置に送信して、これに応答して返信される上記ゲートウエイ装置のアドレスを受信する制御手段とを備え、上記ＶｏＩＰインターフェース回路は、上記受信されたアドレスを宛先アドレスとして用いて、上記装置管理情報を含むデータを含むＶｏＩＰパケット信号を上記ＩＰ網を介して上記ゲートウエイ装置に送信することを特徴とする。
さらに、上記衛星ディジタル放送受信装置において、上記ＶｏＩＰインターフェース回路は、上記装置管理情報を含むデータを複数のＶｏＩＰパケットに分割して伝送し、上記管理センタ装置からの肯定応答信号に応答して次のＶｏＩＰパケット信号を送信することを特徴とする。
第２の発明に係るＶｏＩＰアダプタ装置は、衛星ディジタル放送を視聴するときに必要な装置管理情報や装置制御情報を、当該装置管理情報や装置制御情報を管理する管理センタ装置と送受信する通信回路を備えた衛星ディジタル放送受信装置のためのＶｏＩＰアダプタ装置であって、
上記通信回路に接続される電話モデムと、
上記電話モデム及びＩＰ（Ｉｎｔｅｒｎｅｔ  Ｐｒｏｔｏｃｏｌ）網に接続されたＶｏＩＰインターフェース回路とを備え、
上記ＶｏＩＰインターフェース回路は、上記通信回路から上記電話モデムを介して受信される装置管理情報を含むデータをＶｏＩＰ（Ｖｏｉｃｅ  ｏｖｅｒ  Ｉｎｔｅｒｎｅｔ  Ｐｒｏｔｏｃｏｌ）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信して、上記電話モデムを介して上記通信回路に出力することを特徴とする。
上記ＶｏＩＰアダプタ装置において、上記ＶｏＩＰインターフェース回路は、装置管理情報を含むデータを上記ＩＰ網、ゲートウエイ装置、公衆電話網及び上記アクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介して受信することを特徴とする。
また、上記ＶｏＩＰアダプタ装置において、上記ＶｏＩＰパケット信号は、装置管理情報又は装置制御情報のデータに、ＩＰヘッダ、ＵＤＰヘッダ及びＲＴＰヘッダが付加されて構成されたことを特徴とする。
【図面の簡単な説明】  図１は、本発明の第１の好ましい実施形態に係る衛星ディジタル放送受信装置１００と、管理センタ装置８０との間の通信システムの構成を示すブロック図である。
図２は、図１の衛星ディジタル放送受信装置１００の詳細構成を示すブロック図である。
図３は、図１の呼制御サーバ装置３０の詳細構成を示すブロック図である。
図４は、ゲートウエイ装置４０の詳細構成を示すブロック図である。
図５は、図３の管理テーブルメモリ３２に格納される管理テーブルの一例を示す図である。
図６は、図１の通信システムにおいて衛星ディジタル放送受信装置１００と呼制御サーバ装置３０との間で実行されるゲートウエイ装置４０の宛先ＵＲＬを得るための通信シーケンスを示すシーケンス図である。
図７は、図１の通信システムにおいて衛星ディジタル放送受信装置１００からゲートウエイ装置４０に対して装置管理情報（ＡＭＩ）を送信するときの信号フオーマットを示す図である。
図８は、図１の通信システムにおいて衛星ディジタル放送受信装置１００と管理センタ装置８０との間の通信を示す通信シーケンスを示すシーケンス図である。
図９は、図８の通信シーケンスにおいて装置管理情報のアップロードの通信シーケンスを示すシーケンス図である。
図１０は、第１の変形例に係る管理センタ装置８０と接続するためのアクセスポイント通信装置７０の電話番号からゲートウエイ装置４０のＩＰアドレスに変換する変換方法を示す図である。
図１１は、例えば図３の呼制御サーバ装置３０の管理テーブルメモリ３２に格納され、図１０の変換方法を用いるＩＰアドレス変換テーブル３２Ａの一例を示す図であって、図１１（ａ）は市外局番のＩＰアドレス変換テーブル３２Ａ−１の一例を示す図であり、図１１（ｂ）は市内局番のＩＰアドレス変換テーブル３２Ａ−２の一例を示す図であり、図１１（ｃ）は加入者番号の上位番号のＩＰアドレス変換テーブル３２Ａ−３の一例を示す図であり、図１１（ｄ）は加入者番号の下位番号のＩＰアドレス変換テーブル３２Ａ−４の一例を示す図である。
図１２は、第２の変形例に係る管理センタ装置８０と接続するためのアクセスポイント通信装置７０の電話番号からゲートウエイ装置４０のＵＲＬに変換する変換方法を示す図である。
図１３は、第３の変形例に係る管理センタ装置８０と接続するためのアクセスポイント通信装置７０の電話番号からゲートウエイ装置４０のＵＲＬに変換する変換方法を示す図である。
図１４は、例えば図３の呼制御サーバ装置３０の管理テーブルメモリ３２に格納され、図１３の変換方法を用いるＩＰアドレス変換テーブル３２Ｂの一例を示す図であって、図１４（ａ）は市外局番のＩＰアドレス変換テーブル３２Ｂ−１の一例を示す図であり、図１４（ｂ）は市内局番のＩＰアドレス変換テーブル３２Ｂ−２の一例を示す図であり、図１４（ｃ）は加入者番号のＩＰアドレス変換テーブル３２Ｂ−３の一例を示す図である。
図１５は、本発明の第２の好ましい実施形態に係る衛星ディジタル放送受信装置１００Ａと、管理センタ装置８０との間の通信システムの構成を示すブロック図である。
図１６は、図１５の衛星ディジタル放送受信装置１００Ａの詳細構成を示すブロック図である。
図１７は、図１５の通信システムにおいて衛星ディジタル放送受信装置１００Ａと管理センタ装置８０との間の通信を示す通信シーケンスを示すシーケンス図である。
図１８は、本発明の第３の好ましい実施形態に係る衛星ディジタル放送受信装置１００と、管理センタ装置８０との間の通信システムの構成を示すブロック図である。
図１９は、本発明の第３の好ましい実施形態の変形例に係る衛星ディジタル放送受信装置１００Ａと、管理センタ装置８０との間の通信システムの構成を示すブロック図である。
【発明を実施するための最良の形態】第１の好ましい実施形態．
図１は、本発明の第１の好ましい実施形態に係る衛星ディジタル放送受信装置１００と、管理センタ装置８０との間の通信システムの構成を示すブロック図である。第１の好ましい実施形態に係る衛星ディジタル放送受信装置１００は、例えばパラボラアンテナなどの衛星受信アンテナ１１０を用いて衛星ディジタル放送の放送信号を受信してその映像信号及び音声信号をテレビジョン受像機１４０に出力するための装置である。当該衛星ディジタル放送受信装置１００は、衛星ディジタル放送装置１００に具備されたＩＣカードインターフェース回路１７のカードスロット１７ａに挿入されたＩＣカード１２０に記録、保存される有料放送の視聴履歴情報などの装置管理情報を、それらの情報を管理する視聴情報収集センタの管理センタ装置８０にアップロードするとともに、当該管理センタ装置８０から次回のアップロード日時、有料放送視聴の有効期限などの装置制御情報をダウンロードする機能を有し、特に、装置管理情報や装置制御情報を含むデータを、ＩＰ網５０を介して管理センタ装置８０とＶｏＩＰ（Ｖｏｉｃｅ  ｏｖｅｒ  Ｉｎｔｅｒｎｅｔ  Ｐｒｏｔｏｃｏｌ）パケット信号を用いて送受信するためのＶｏＩＰ（Ｖｏｉｃｅ  ｏｖｅｒ  Ｉｎｔｅｒｎｅｔ  Ｐｒｏｔｏｃｏｌ）インターフェース回路１６を備えたことを特徴としている。
図１において、衛星ディジタル放送受信装置１００のＶｏＩＰインターフェース回路１６は、例えばＳＩＰ（Ｓｅｓｓｉｏｎ  Ｉｎｉｔｉａｔｉｏｎ  Ｐｒｏｔｏｃｏｌ）、ＩＴＵ−Ｔ勧告Ｈ．３２３などの呼制御プロトコルを用いて通信端末装置間でＶｏＩＰ通信を実行するための呼制御サーバ装置３０を備えたＩＰ網５０を介してゲートウエイ装置４０に接続されている。ゲートウエイ装置４０は、ＩＰ網５０と公衆電話網６０との間の通信プロトコル変換を実行する関門通信制御装置であって、ゲートウエイ装置４０は公衆電話網６０、アクセスポイント通信装置７０、及び独自の収集ネットワークの通信回線９０を介して管理センタ装置８０に接続されている。
図２は、図１の衛星ディジタル放送受信装置１００の詳細構成を示すブロック図である。
図２において、衛星受信アンテナ１１０を用いて受信された衛星ディジタル放送の放送信号はチューナ１１に入力される。チューナ１１は、入力される放送信号に対して低雑音高周波増幅、低域周波数変換、中間増幅、ディジタル復調などの信号処理を実行した後、処理後のベースバンド信号をデスクランブラ１２に出力する。デスクランブラ１２は、コントローラ１０からの制御信号に基づいて、入力されるベースバンド信号に対してデスクランブル処理を実行して、デスクランブルを解除したベースバンド信号を発生してデマルチプレクサ１３に出力する。デマルチプレクサ１３は、入力されるベースバンド信号を多重分離処理を実行することにより複数のチャンネルの放送番組信号と種々のデータ信号（識別データや個別データを含む。）を分離して、後者のデータ信号をコントローラ１０に出力するとともに、前者の複数のチャンネルの放送番組信号のうち、コントローラ１０からの選択信号に基づいて選択された放送番組信号を映像及び音声デコーダ１４に出力する。映像及び音声デコーダ１４は入力される放送番組信号を映像信号及び音声信号に復号化した後、映像及び音声出力混合器１５を介してテレビジョン受像機１４０に出力する。さらに、表示出力コントローラ２０は、コントローラ１０からの表示情報に基づいて当該表示情報を含む映像信号を発生し、それを映像及び音声出力混合器１５において放送番組信号の映像信号に重畳させて出力する。
キーボードインターフェース回路２１にはキーボード（図示せず。）が接続され、ユーザが、当該衛星ディジタル放送受信装置１００の制御指示情報を入力するためのキーボードを用いて入力される制御指示情報を所定のディジタル信号に変換してコントローラ１０に出力する。また、リモートコントローラ１３０は、例えば赤外線信号を用いた遠隔制御指示情報の入力装置であり、ユーザがリモートコントローラ１３０を用いて入力される制御指示情報を所定のディジタル赤外線信号に変換して赤外線信号受光部２２に向かって放射する。赤外線信号受光部２２はリモートコントローラ１３０からの赤外線信号を受光して電気信号に変換した後、リモートコントローラ信号受信機回路２３に出力する。リモートコントローラ信号受信機回路２３は入力される電気信号をデコードして制御指示情報のデータを抽出してコントローラ１０に出力する。これに応答して、コントローラ１０は制御指示情報のデータに基づいて衛星ディジタル放送受信装置１００内の各部を制御する。
ＩＣカードインターフェース回路１７はＩＣカード１２０を挿入するためのカードスロット１７ａを備える。ＩＣカード１２０は衛星ディジタル放送の有料放送を視聴するために必要な情報を記録、保存するためのメモリカードであって、管理センタ装置８０と接続するためのアクセスポイント通信装置７０の電話番号の情報（視聴情報収集センタにおいてＩＣカード１２０に当該衛星ディジタル放送受信装置１００のユーザのために予め当該電話番号の情報が記憶される。）と、当該衛星ディジタル放送受信装置１００においてユーザにより視聴される有料放送の視聴履歴情報などの装置管理情報を記憶する。当該装置管理情報は、詳細後述するように、ＶｏＩＰインターフェース回路１６及びＩＰ網５０を介して、当該装置管理情報を管理する視聴情報収集センタの管理センタ装置８０にアップロードされる一方、当該管理センタ装置８０からＩＰ網５０及びＶｏＩＰインターフェース回路１６を介して送信されてくる、次回のアップロード日時、有料放送視聴の有効期限などの装置制御情報が当該衛星ディジタル放送受信装置１００にダウンロードされ、ＩＣカードインターフェース回路１７を介してＩＣカード１２０に格納される。ここで、ＶｏＩＰインターフェース回路１６は、コントローラ１０からの制御により動作し、装置管理情報や装置制御情報をＩＰ網５０を介して管理センタ装置８０とＶｏＩＰパケット信号を用いて送受信するために設けられる。
図３は、図１の呼制御サーバ装置３０の詳細構成を示すブロック図である。図３において、呼制御サーバ装置３０は、その装置全体を制御するコントローラ３１と、例えば図５に示すようなアクセスポイント通信装置７０の電話番号からゲートウエイ装置７０のＵＲＬ（Ｕｎｉｆｏｒｍ  Ｒｅｓｏｕｒｃｅ  Ｌｏｃａｔｏｒｓ）に変換するための管理テーブル３２を少なくとも格納した管理テーブルメモリ３２と、例えばＳＩＰの通信手順又はＩＴＵ−Ｔ勧告Ｈ．３２３の通信手順を用いて、ＩＰ網５０を介して衛星ディジタル放送受信装置１００のＶｏＩＰインターフェース回路１６及びゲートウエイ装置４０とインターネットプロトコルを用いてＩＰ通信を行うためのＩＰ通信回路３３とを備えて構成される。
図４は、ゲートウエイ装置４０の詳細構成を示すブロック図である。図４において、ゲートウエイ装置４０は、その装置全体を制御するコントローラ４１と、例えばアクセスポイント通信装置７０の電話番号を格納した管理テーブルメモリ４２と、ＩＰ網５０を介して衛星ディジタル放送受信装置１００のＶｏＩＰインターフェース回路１６とインターネットプロトコルを用いてＩＰ通信を行うためのＩＰ通信回路３３と、アクセスポイント通信装置７０の電話モデムと公衆電話網６０を介してデータ通信を行う電話モデム４４とを備えて構成される。ゲートウエイ装置４０のコントローラ４１は、ＩＰ網５０と公衆電話網６０との間の通信信号や通信手順の変換処理を実行しながら、衛星ディジタル放送受信装置１００と管理センタ装置８０との間で通信される各種データ信号を中継する。
図５は、図３の管理テーブルメモリ３２に格納される管理テーブルの一例を示す図である。図５に示すように、管理センタ装置８０と接続するためのアクセスポイント通信装置７０の電話番号をゲートウエイ装置４０のＵＲＬに変換するための管理テーブルであり、各電話番号毎にＵＲＬが格納されている。
図６は、図１の通信システムにおいて衛星ディジタル放送受信装置１００と呼制御サーバ装置３０との間で実行されるゲートウエイ装置４０の宛先ＵＲＬを得るための通信シーケンスを示すシーケンス図である。図６に示すように、衛星ディジタル放送受信装置１００のコントローラ１０は、ＶｏＩＰインターフェース回路１６を用いてＩＰ網５０を介して、例えば呼制御サーバ装置３０（呼制御サーバ装置３０に代えて、ＩＰ網５０に接続された所定のサーバ装置であってもよい。）に対して、管理センタ装置８０と接続するためのアクセスポイント通信装置７０の電話番号（ＩＣカード１２０に予め記憶されている。）を含む情報問い合わせ信号を、インターネットプロトコルの通信手順で呼制御サーバ装置３０に対して送信する。これに応答して、呼制御サーバ装置３０は、管理テーブルメモリ３１内の管理テーブル３１Ａを参照して受信した電話番号に対応するＵＲＬを含む情報返信信号をＩＰ網５０を介して衛星ディジタル放送受信装置１００に対して返信する。以上の通信手順により、衛星ディジタル放送受信装置１００のコントローラ１０は、管理センタ装置８０と接続するためのアクセスポイント通信装置７０の電話番号に対応するゲートウエイ装置４０のＵＲＬの情報を得ることができる。
図７は、図１の通信システムにおいて衛星ディジタル放送受信装置１００からゲートウエイ装置４０に対して装置管理情報（ＡＭＩ：Ａｐｐａｒａｔｕｓ  Ｍａｎａｇｅｍｅｎｔ  Ｉｎｆｏｒｍａｔｉｏｎ）を送信するときのパケット信号の信号フォーマットを示す図である。図７において、図７（ａ）はパケット信号全体の信号フォーマットであり、図７（ｂ）は当該パケット信号のデータ２０４の詳細フォーマットである。図７（ａ）に示すように、データ２０４の前に、ＲＴＰ（Ｒｅａｌｔｉｍｅ  Ｔｒａｎｓｐｏｒｔ  Ｐｒｏｔｏｃｏｌ）ヘッダ２０３、ＩＰ（Ｉｎｔｅｒｎｅｔ  Ｐｒｏｔｏｃｏｌ）ヘッダ２０２及びＵＤＰ（Ｕｓｅｒ  Ｄａｔａｇｒａｍ  Ｐｒｏｔｏｃｏｌ）ヘッダ２０１が付与されている。ここで、図７（ａ）に示されるヘッダ２０１，２０２，２０３はゲートウエイ装置４０でＩＰ網５０での通信が終端される際に外され、ゲートウエイ装置４０から管理センタ装置８０までの区間では、図７（ｂ）示されるデータ２０４のみが伝送される。
図７（ｂ）のデータ２０４の信号フォーマットにおいては、衛星ディジタル放送受信装置１００から管理センタ装置８０にＶｏＩＰパケット信号を使用して装置管理情報をアップロードするときに、コントローラ１０がＩＣカード１２０から読み出した装置管理情報（ＡＭＩ）２１４に、管理センタ装置８０に伝送するためのデータ２１１，２１２，２１３，２１５，２１６を付加する。ここで、付加するデータ２１１，２１２，２１３，２１５，２１６において、データ２１１の”ＤＬＥ  ＳＴＸ”にはデータ開始を示す”１００２Ｈ”のデータが格納され、データ２１２の”ＢＮ”には、ＯＤから開始しパケット毎に１ずつ増え２５５Ｄまでの装置管理情報のブロックシリアル番号のデータが格納され、データ２１３の”ＢＮ＿”にはデータ”ＢＮ”の１の補数のデータが格納される。また、装置管理情報（ＡＭＩ）のデータ２１４にはＩＣカード１２０から読み出したデータ（最大２０４８バイト）が格納され、データ２１５の”ＤＬＥ  ＥＴＸ”にはデータ終了を示す１００３Ｈのデータが格納され、データ２１６の”ＣＲＣ”には装置管理情報（ＡＭＩ）のデータ２１４を対象に計算する巡回冗長検査符号のデータ（２バイト）が格納される。
図８は、図１の通信システムにおいて衛星ディジタル放送受信装置１００と管理センタ装置８０との間の通信を示す通信シーケンスを示すシーケンス図である。衛星ディジタル放送受信装置１００から呼制御サーバ装置３０を介してゲートウエイ装置４０までのＩＰ網５０では、ＶｏＩＰの通信手順によりＶｏＩＰパケット信号を用いて、パケット信号の送受信により通信が実行され、ゲートウエイ装置４０から公衆電話網６０、アクセスポイント通信装置７０及び独自の収集ネットワークの通信回線９０を介して管理センタ装置８０までは公衆電話網６０を介して、上記の先行技術文献に記載された標準規格に規定された独自の通信手順や信号フォーマットを用いて通信が実行される。
図８において、図６の情報問い合わせによりゲートウエイ装置４０のＵＲＬを得た後、回線接続フェーズにおいて、上記ＵＲＬを含む発呼信号を呼制御サーバ装置３０に送信する。これに応答して、呼制御サーバ装置３０は接続要求信号をゲートウエイ装置４０に送信し、ゲートウエイ装置４０は接続要求信号をアクセスポイント通信装置７０を介して管理センタ装置８０に送信する。これに応答して、管理センタ装置８０は応答可能であれば、応答信号をアクセスポイント通信装置７０を介してゲートウエイ装置４０に送信する。さらに、ゲートウエイ装置４０は応答信号を呼制御サーバ装置３０に送信し、これに応答して呼制御サーバ装置３０は応答信号を衛星ディジタル放送受信装置１００に返信する。以上で衛星ディジタル放送受信装置１００と管理センタ装置８０との間で通信のセッション接続が確立する。
次いで、通信フェーズにおいて、認証手順の通信が衛星ディジタル放送受信装置１００と管理センタ装置８０との間で実行された後、装置管理情報を含むアップロード信号が衛星ディジタル放送受信装置１００から管理センタ装置８０に送信され、これに応答して、装置制御情報を含むダウンロード信号が管理センタ装置８０から衛星ディジタル放送受信装置１００に送信され、当該装置制御情報はＩＣカード１２０に格納される。そして、衛星ディジタル放送受信装置１００は切断要求信号を管理センタ装置８０に送信し、これに応答して、回線切断フェーズが開始し、管理センタ装置８０は、アクセスポイント通信装置７０、ゲートウエイ装置４０及び呼制御サーバ装置３０を介して衛星ディジタル放送受信装置１００に送信し、当該回線接続が切断される。
図９は、図８の通信シーケンスにおいて装置管理情報（ＡＭＩ）のアップロードの通信シーケンスを示すシーケンス図である。
図９において、問い合わせ信号（ＥＮＱ）にはデータ”０５Ｈ”が格納され、問い合わせ信号（ＥＮＱ）は衛星ディジタル放送受信装置１００からゲートウエイ装置４０を介して管理センタ装置８０に最初に伝送される。これに応答して、管理センタ装置８０は肯定応答信号（ＡＣＫ）をゲートウエイ装置４０を介して衛星ディジタル放送受信装置１００に返信する。次いで、装置管理情報（ＡＭＩ）が衛星ディジタル放送受信装置１００からゲートウエイ装置４０を介して管理センタ装置８０に伝送されるが、このとき、装置管理情報（ＡＭＩ）は複数のパケットに分割して伝送され、各パケットの受信毎に、管理センタ装置８０は、装置管理情報（ＡＭＩ）を受信したことを通知する肯定応答信号（ＡＣＫ）をゲートウエイ装置４０を介して衛星ディジタル放送受信装置１００に返信し、ここで、当該肯定応答信号（ＡＣＫ）にはデータ”０６Ｈ”が格納される。さらに、伝送終了を表すテキスト終了信号（ＥＯＴ）が衛星ディジタル放送受信装置１００からゲートウエイ装置４０を介して管理センタ装置８０に伝送され、当該テキスト終了信号（ＥＯＴ）にはデータ”０４Ｈ”が格納される。これに応答して管理センタ装置８０は肯定応答信号（ＡＣＫ）をゲートウエイ装置４０を介して衛星ディジタル放送受信装置１００に返信する。
ところで、ＵＤＰヘッダ２０１を用いてデータを伝送する場合、ベストエフォート型の伝送であるために、ゲートウエイ装置４０に届くまでにデータの誤りや抜けが発生することがある。このため、衛星ディジタル放送受信装置１００が装置管理情報をアップロードし、応答信号（ＡＣＫ）を受信してから次のブロックシリアル番号のデータを伝送し、もしくは、衛星ディジタル放送受信装置１００が問い合わせ信号（ＥＮＱ）又は装置管理情報（ＡＭＩ）を送信してから、肯定応答信号（ＡＣＫ）を受信するまでの時間をタイマーなどで監視し、１０秒以上経過すると装置管理情報（ＡＭＩ）を再送するようにコントローラ１０により制御する。なお、装置管理情報（ＡＭＩ）の再送は３回まで行い、３回を超えると、一旦回線接続を切断することが好ましい。
また、装置制御情報のダウンロードも同様に、図７（ａ）に示すＵＤＰヘッダ、ＩＰヘッダ、ＲＴＰヘッダが付加された装置制御情報（図７（ａ）において装置管理情報（ＡＭＩ）に代えて装置制御情報が格納される。）を含むパケットが管理センタ装置８０から衛星ディジタル放送受信装置１００に送信され、これに応答して、衛星ディジタル放送受信装置１００が当該パケットを受信すると、管理センタ装置８０に対して肯定応答信号（ＡＣＫ）を返信する。上記と同様に、衛星ディジタル放送受信装置１００のコントローラ１０において、装置制御情報の受信をタイマーで監視し、１０秒以上経過しても受信できない場合は、否定応答信号（ＮＡＱ（１５Ｈ））を管理センタ装置８０に対して送信することにより再送要求を行う。衛星ディジタル放送受信装置１００が否定応答信号（ＮＡＱ）を３回管理センタ装置８０に送信しても、データが受信できない場合は、一旦回線接続を切断する。
図１０は、第１の変形例に係る、管理センタ装置８０と接続するためのアクセスポイント通信装置７０の電話番号からゲートウエイ装置４０のＩＰアドレスに変換する変換方法を示す図である。図１１は、例えば図３の呼制御サーバ装置３０の管理テーブルメモリ３２に格納され、図１０の変換方法を用いるＩＰアドレス変換テーブル３２Ａの一例を示す図であって、図１１（ａ）は市外局番のＩＰアドレス変換テーブル３２Ａ−１の一例を示す図であり、図１１（ｂ）は市内局番のＩＰアドレス変換テーブル３２Ａ−２の一例を示す図であり、図１１（ｃ）は加入者番号の上位番号のＩＰアドレス変換テーブル３２Ａ−３の一例を示す図であり、図１１（ｄ）は加入者番号の下位番号のＩＰアドレス変換テーブル３２Ａ−４の一例を示す図である。
図１１に示すように、市外局番、市内局番と、加入者番号の上位２桁を上位番号とし、その下位２桁を下位番号とし、それぞれに対応したＩＰアドレスの対応を示す管理テーブル３２Ａ（例えば、呼制御サーバ装置３０の管理テーブルメモリ３１に格納される。）を用いて、電話番号情報からゲートウエイ装置４０の宛先ＩＰアドレスを得ることができる。図１０の例では、例えば、電話番号ＡＢＣ−ＤＥＦ−ＧＨＪＫから宛先ＩＰアドレス１１１．２１１．３１．４１を得ている。この管理テーブル３１Ａを、例えば呼制御サーバ装置３０の管理テーブルメモリ３１に格納して、衛星ディジタル放送受信装置１００が呼制御サーバ装置３０に問い合わせ、返信を受けてゲートウエイ装置４０の宛先ＩＰアドレスを得ることができる。
図１２は、第２の変形例に係る管理センタ装置８０と接続するためのアクセスポイント通信装置７０の電話番号からゲートウエイ装置４０のＵＲＬに変換する変換方法を示す図である。図１２に示すように、加入者番号を＠の前に配置し、＠のうしろに、市内局番、市外局番をドットをはさんで並置することによりドメイン名としたＵＲＬを得る。図１２の例では、例えば、電話番号ＡＢＣ−ＤＥＦ−ＧＨＪＫから宛先ＵＲＬＧＨＪＫ＠ＤＥＦ．ＡＢＣを得ている。
図１３は、第３の変形例に係る管理センタ装置８０と接続するためのアクセスポイント通信装置７０の電話番号からゲートウエイ装置４０のＵＲＬに変換する変換方法を示す図である。図１３に示すように、加入者番号を＠の前に配置し、＠のうしろに市内局番、市外局番をドットをはさんで並置してドメイン名としたＵＲＬを得る。図１３では、例えば、電話番号ＡＢＣ−ＤＥＦ−ＧＨＪＫから宛先ＵＲＬｃｃｃ＠ｂｂｂ．ａａａを得ている。
図１３の変換方法は、衛星ディジタル放送受信装置１００のコントローラ１０自身により実行することが可能であるが、これに代えて、図１３の変換方法を図１４の管理テーブル３２ｂを例えばコントローラ１０内のメモリに格納し、もしくは例えば呼制御サーバ装置３０などの他のサーバ装置に格納して、図６と同様に問い合わせ手順を用いてＵＲＬを得てもよい。
図１４は、例えば図３の呼制御サーバ装置３０の管理テーブルメモリ３２に格納され、図１３の変換方法を用いるＩＰアドレス変換テーブル３２Ｂの一例を示す図であって、図１４（ａ）は市外局番のＩＰアドレス変換テーブル３２Ｂ−１の一例を示す図であり、図１４（ｂ）は市内局番のＩＰアドレス変換テーブル３２Ｂ−２の一例を示す図であり、図１４（ｃ）は加入者番号のＩＰアドレス変換テーブル３２Ｂ−３の一例を示す図である。図１４の例では、電話番号を市外局番、市内局番、加入者番号に分割して、電話番号からＵＲＬ又はＩＰアドレスを得ることができる。
以上説明したように、この好ましい実施形態によれば、装置管理情報や装置制御情報の送受信のために、衛星ディジタル放送受信装置１００から管理センタ装置８０への接続においてＩＰ網を使用することができるので、従来技術に比較して、装置管理情報や装置制御情報の送受信に係る通信料を大幅に軽減できる。
また、この好ましい実施形態によれば、衛星ディジタル放送受信装置から管理センタ装置への接続においてＩＰ網を使用し、例えば呼制御サーバ装置３０などのサーバ装置に対して問い合わせを行ってゲートウエイ装置４０のＵＲＬ又はＩＰアドレスを得て、もしくは、衛星ディジタル放送受信装置１００のコントローラ１０自身によりのＵＲＬ又はＩＰアドレスを発生することができるので、管理センタ装置８０に対して自動的に通信接続を行うことができるので、きわめて簡単に装置管理情報や装置制御情報の送受信を実行できる。
さらに、この好ましい実施形態によれば、衛星ディジタル放送受信装置１００から管理センタ装置８０への接続においてＩＰ網を使用し、装置管理情報を複数のパケットに分割して伝送し、管理センタ装置８０からの肯定応答信号に応答して次のパケットを送信するようにしたので、管理センタ装置８０との間で装置管理情報や装置制御情報を確実に送受信することができる。
以上の好ましい実施形態においては、ＶｏＩＰインターフェース回路１６は直接にＩＰ網５０に接続されているが、本発明はこれに限らず、ルータ装置や無線ＬＡＮ装置を介してＩＰ網５０に接続されてもよい。
第２の好ましい実施形態．
図１５は、本発明の第２の好ましい実施形態に係る衛星ディジタル放送受信装置１００Ａと、管理センタ装置８０との間の通信システムの構成を示すブロック図であり、図１６は、図１５の衛星ディジタル放送受信装置１００Ａの詳細構成を示すブロック図である。
第２の好ましい実施形態に係る通信システムは、図１の通信システムに比較して、衛星ディジタル放送受信装置１００Ａと、ＩＰ網５０との間にＶｏＩＰアダプタ装置１５０を挿入したことを特徴としている。すなわち、図１６に示すように、装置管理情報や装置制御情報の送受信のための電話モデム１６Ａを有しているが、図２のＶｏＩＰインターフェース回路１６を有しない既存の衛星ディジタル放送受信装置１００Ａにおいて、ＶｏＩＰの通信手順によりＶｏＩＰパケット信号を用いてＩＰ網５０を介して装置管理情報や装置制御情報を送受信するために、ＶｏＩＰアダプタ装置１５０のみを追加するものである。衛星ディジタル放送受信装置１００Ａのその他の構成は、図１の衛星ディジタル放送受信装置１００と同様であり、その詳細説明を省略する。なお、電話モデム１６Ａは、図２のＶｏＩＰインターフェース回路１６に代えて、電話網のインターフェースを用いて上述の各種の信号を送受信するための通信回路である。
図１５において、ＶｏＩＰアダプタ装置１５０は、その装置全体を制御するコントローラ１５１と、衛星ディジタル放送受信装置１００Ａの電話モデム１６Ａと電話データ通信を行う電話モデム１５２と、例えばＳＩＰの通信手順又はＩＴＵ−Ｔ勧告Ｈ．３２３の通信手順を用いて、ＩＰ網５０を介してゲートウエイ装置４０とインターネットプロトコルを用いてＩＰ通信を行うためのＶｏＩＰインターフェース回路１５３とを備えて構成される。
図１７は、図１５の通信システムにおいて衛星ディジタル放送受信装置１００Ａと管理センタ装置８０との間の通信を示す通信シーケンスを示すシーケンス図である。図１７の通信シーケンスは、図８の通信シーケンスとの比較から明らかなように、ＶｏＩＰアダプタ装置１５０の挿入により、各パケット信号が当該ＶｏＩＰアダプタ装置１５０により中継されることを除いて同様に実行される。すなわち、ＶｏＩＰインターフェース回路１５３は、衛星ディジタル放送受信装置１００Ａのコントローラ１０から電話モデム１６Ａ、電話モデム１５２を介して受信される装置管理情報を含むデータをＶｏＩＰパケット信号を用いてＩＰ網５０、ゲートウエイ装置４０及びアクセスポイント通信装置７０を介して管理センタ装置８０に対して送信するとともに、装置制御情報を含むデータを管理センタ装置８０からアクセスポイント通信装置７０、ゲートウエイ装置４０及びＩＰ網５０を介してＶｏＩＰパケット信号を用いて受信して、電話モデム１５２及び電話モデム１６Ａを介して衛星ディジタル放送受信装置１００Ａのコントローラ１０に出力する。
以上説明したようにこの好ましい実施形態によれば、既存の衛星ディジタル放送受信装置１００Ａに接続するＶｏＩＰアダプタ装置１５０を備えたので、既存の衛星ディジタル放送受信装置１００Ａを用いて、簡単に、衛星ディジタル放送受信装置から管理センタ装置への接続においてＩＰ網を使用することができ、それ故、従来技術に比較して、装置管理情報や装置制御情報の送受信に係る通信料を大幅に軽減できる。
第３の好ましい実施形態．
図１８は、本発明の第３の好ましい実施形態に係る衛星ディジタル放送受信装置１００と、管理センタ装置８０との間の通信システムの構成を示すブロック図である。
第３の好ましい実施形態に係る通信システムは、図１の通信システムに比較して、公衆電話網６０を使用せず、ゲートウエイ装置４０の機能を、ＩＰ網５０に接続されたアクセスポイント通信装置７０Ａに持たせたことを特徴としている。この相違点について以下に詳細説明する。
この好ましい実施形態においては、ＩＣカード１２０に記録されている宛先はアクセスポイント通信装置７０Ａの電話番号ではなく、アクセスポイント通信装置７０ＡのＵＲＬ又はＩＰアドレスである。ＶｏＩＰインターフェース回路１６はアクセスポイント通信装置７０ＡのＵＲＬ又はＩＰアドレスを用いてＩＰ網５０及び呼制御サーバ３０を介してアクセスポイント通信装置７０Ａにアクセスして、ＶｏＩＰパケット信号を用いて装置管理情報や装置制御情報のデータを送受信することを特徴としている。また、アクセスポイント通信装置７０Ａ、ＩＰ網５０と管理センタ装置８０との間の通信信号や通信手順の変換処理を実行しながら、衛星ディジタル放送受信装置１００と管理センタ装置８０との間で通信される各種データ信号を中継する。この場合において、ＩＰ網５０において送受信されるパケット信号の信号フォーマットは、図７（ｂ）において、データ２１１，２１２，２１３，２１５，２１６を削除した信号フォーマットを用いる。
以上のように構成された通信システムでは、上述の第１の好ましい実施形態に係る作用効果を有するとともに、図１の好ましい実施形態に比較して、システム構成がきわめて簡単になるという特有の効果を奏する。
なお、図１９に示すように、図１８の衛星ディジタル放送受信装置１００を図１５の衛星ディジタル放送受信装置１００Ａとし、その電話モデム１６ＡとＩＰ網５０との間においてＶｏＩＰアダプタ装置１５０を挿入した構成としてもよい（以下、第３の好ましい実施形態の変形例という。）。
また、ＩＣカード１２０には、アクセスポイント通信装置７０Ａの電話番号、ＵＲＬ、ＩＰアドレスの全てが記録されており、図１８の第３の好ましい実施形態の構成であるか、その変形例の構成であるかに依存して、コントローラ１０がアクセスポイント通信装置７０Ａの電話番号、ＵＲＬ、ＩＰアドレスのいずれか適切な情報を選択して用いてもよい。
以上の好ましい実施形態において開示された衛星ディジタル放送受信装置１００，１００Ａは、日本国内の衛星ディジタル放送受信装置のみならず、海外の衛星ディジタル放送受信装置にも適用できる。
以上の好ましい実施形態においては、図７に示すように、データ２０４に対して、ＵＤＰヘッダ２０１、ＩＰヘッダ２０２及びＲＴＰヘッダ２０３を付加してＶｏＩＰパケット信号を構成しているが、本発明はこれに限らず、データ２０４に対してＴＣＰヘッダ及びＩＰヘッダ２０２を付加してＶｏＩＰパケット信号を構成してもよい。
以上の好ましい実施形態においては、衛星ディジタル放送受信装置１００とアクセスポイント通信装置７０との通信で、衛星ディジタル放送受信装置１００が発呼し、呼制御プロトコルを使用することによって、アクセスポイント通信装置７０とリンクを確立する例を示したが、本発明はこれに限らず、ＨＴＴＰを使用してＡＭＩデータを送信してもよい。その場合の通信シーケンスは、図８又は図１７の図面において、回線接続フェーズ及び回線切断フェーズがなく、ＨＴＴＰを使用した通信フェーズのみを用いる。
【産業上の利用の可能性】
以上詳述したように、本発明に係る衛星ディジタル放送受信装置によれば、衛星ディジタル放送を視聴するときに必要な装置管理情報や装置制御情報を、当該装置管理情報や装置制御情報を管理する管理センタ装置と送受信する通信回路を備えた衛星ディジタル放送受信装置において、上記通信回路は、ＩＰ（Ｉｎｔｅｒｎｅｔ  Ｐｒｏｔｏｃｏｌ）網に接続され、装置管理情報を含むデータをＶｏＩＰ（Ｖｏｉｃｅ  ｏｖｅｒ  Ｉｎｔｅｒｎｅｔ  Ｐｒｏｔｏｃｏｌ）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信するＶｏＩＰインターフェース回路を備える。従って、装置管理情報や装置制御情報の送受信のために、衛星ディジタル放送受信装置から管理センタ装置への接続においてＩＰ網を使用することができるので、従来技術に比較して、装置管理情報や装置制御情報の送受信に係る通信料を大幅に軽減できる。
【図１】
2004030291.tif 000003
【図２】
2004030291.tif 000004
【図３】
2004030291.tif 000005
【図４】
2004030291.tif 000006
【図５】
2004030291.tif 000007
【図６】
2004030291.tif 000008
【図７】
2004030291.tif 000009
【図８】
2004030291.tif 000010
【図９】
2004030291.tif 000011
【図１０】
2004030291.tif 000012
【図１１】
2004030291.tif 000013
【図１２】
2004030291.tif 000014
【図１３】
2004030291.tif 000015
【図１４】
2004030291.tif 000016
【図１５】
2004030291.tif 000017
【図１６】
2004030291.tif 000018
【図１７】
2004030291.tif 000019
【図１８】
2004030291.tif 000020
【図１９】
2004030291.tif 000021
【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
衛星ディジタル放送を視聴するときに必要な装置管理情報や装置制御情報を、当該装置管理情報や装置制御情報を管理する管理センタ装置と送受信する通信回路を備えた衛星ディジタル放送受信装置において、
上記通信回路は、ＩＰ（Internet Protocol）網に接続され、装置管理情報を含むデータをＶｏＩＰ（Voice over Internet Protocol）パケット信号を用いて上記ＩＰ網及びアクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介してＶｏＩＰパケット信号を用いて受信するＶｏＩＰインターフェース回路を備えたことを特徴とする衛星ディジタル放送受信装置。
【請求項２】
上記ＶｏＩＰインターフェース回路は、装置管理情報を含むデータを上記ＩＰ網、ゲートウエイ装置、公衆電話網及び上記アクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介して受信することを特徴とする請求項１記載の衛星ディジタル放送受信装置。
【請求項３】
上記ＶｏＩＰパケット信号は、装置管理情報又は装置制御情報のデータに、ＩＰヘッダ、ＵＤＰヘッダ及びＲＴＰヘッダが付加されて構成されたことを特徴とする請求項１又は２記載の衛星ディジタル放送受信装置。
【請求項４】
上記アクセスポイント通信装置の電話番号を格納する記憶装置と、
上記電話番号から上記ゲートウエイ装置のアドレスを発生する制御手段とを備え、
上記ＶｏＩＰインターフェース回路は、上記発生されたアドレスを宛先アドレスとして用いて、上記装置管理情報を含むデータを含むＶｏＩＰパケット信号を上記ＩＰ網を介して上記ゲートウエイ装置に送信することを特徴とする請求項１乃至３のうちのいずれか１つに記載の衛星ディジタル放送受信装置。
【請求項５】
上記アクセスポイント通信装置の電話番号を格納する記憶装置と、
上記電話番号を含む問い合わせ信号を所定のサーバ装置に送信して、これに応答して返信される上記ゲートウエイ装置のアドレスを受信する制御手段とを備え、
上記ＶｏＩＰインターフェース回路は、上記受信されたアドレスを宛先アドレスとして用いて、上記装置管理情報を含むデータを含むＶｏＩＰパケット信号を上記ＩＰ網を介して上記ゲートウエイ装置に送信することを特徴とする請求項１乃至３のうちのいずれか１つに記載の衛星ディジタル放送受信装置。
【請求項６】
上記ＶｏＩＰインターフェース回路は、上記装置管理情報を含むデータを複数のＶｏＩＰパケットに分割して伝送し、上記管理センタ装置からの肯定応答信号に応答して次のＶｏＩＰパケット信号を送信することを特徴とする請求項１乃至５のうちのいずれか１つに記載の衛星ディジタル放送受信装置。
【請求項７】
衛星ディジタル放送を視聴するときに必要な装置管理情報や装置制御情報を、当該装置管理情報や装置制御情報を管理する管理センタ装置と送受信する通信回路を備えた衛星ディジタル放送受信装置のためのＶｏＩＰアダプタ装置であって、
上記通信回路に接続される電話モデムと、
上記電話モデム及びＩＰ（Internet Protocol）網に接続されたＶｏＩＰインターフェース回路とを備え、
上記ＶｏＩＰインターフェース回路は、上記通信回路から上記電話モデムを介して受信される装置管理情報を含むデータをＶｏＩＰ（Voice over Internet Protocol）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信して、上記電話モデムを介して上記通信回路に出力することを特徴とする衛星ディジタル放送受信装置のためのＶｏＩＰアダプタ装置。
【請求項８】
上記ＶｏＩＰインターフェース回路は、装置管理情報を含むデータを上記ＩＰ網、ゲートウエイ装置、公衆電話網及び上記アクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介して受信することを特徴とする請求項７記載のＶｏＩＰアダプタ装置。
【請求項９】
上記ＶｏＩＰパケット信号は、装置管理情報又は装置制御情報のデータに、ＩＰヘッダ、ＵＤＰヘッダ及びＲＴＰヘッダが付加されて構成されたことを特徴とする請求項７又は８記載のＶｏＩＰアダプタ装置。
【手続補正２】
【補正対象書類名】明細書
【補正対象項目名】全文
【補正方法】変更
【補正の内容】
【発明の詳細な説明】
【技術分野】
【０００１】
本発明は、衛星ディジタル放送での有料放送を視聴するときに必要な装置管理情報や装置制御情報を、当該装置管理情報や装置制御情報を管理する管理センタ装置と送受信する通信手段を備えた衛星ディジタル放送受信装置に関する。
【背景技術】
【０００２】
近年、衛星ディジタル放送での有料放送を視聴するには、衛星ディジタル放送装置に具備されたＩＣカードインターフェース回路に挿入されたＩＣカードに記録、保存される有料放送の視聴履歴情報などの装置管理情報を、それらの情報を管理する視聴情報収集センタの管理センタ装置にアップロードするとともに、当該管理センタ装置から次回のアップロード日時、有料放送視聴の有効期限などの装置制御情報をダウンロードする機能が衛星ディジタル放送受信装置に必要である。
【０００３】
日本国内で使用される衛星ディジタル放送受信装置においては、装置管理情報をアップロードし、装置制御情報をダウンロードするときの衛星ディジタル放送受信装置と管理センタ装置との間の通信シーケンスやデータフォーマットなどは、先行技術文献である非特許文献１において規定されている。また、当該標準規格に関連する「テレビジョン受像機」が特許文献１において開示され、さらに、当該標準規格に関連する「衛星放送の課金通信方法」が特許文献２において開示されている。
【０００４】
【特許文献１】特開平１０−１７４０７９号公報。
【特許文献２】特開平１０−１８７３７６号公報。
【特許文献３】特開２０００−０７８５５５号公報。
【特許文献４】特開２００２−２５２６５５号公報。
【非特許文献１】社団法人電波産業会発行の刊行物「デジタル放送における限定受信方式標準規格」ＡＲＩＢ  ＳＴＤ−Ｂ２５  ３．０版、２００１年５月発行。
【発明の開示】
【発明が解決しようとする課題】
【０００５】
上記先行技術文献である非特許文献１において規定された標準規格では、衛星ディジタル放送受信装置から管理センタ装置への接続は公衆電話網を使用している。近年、電話利用料金が従来の公衆電話網を利用したときの利用料金よりも安価なＩＰ電話回線などのＩＰ網が普及し始めているが、これを利用することができないという問題点があった。
【０００６】
本発明の第１の目的は、衛星ディジタル放送受信装置から管理センタ装置への接続においてＩＰ網を使用することができる衛星ディジタル放送受信装置を提供することにある。
【０００７】
また、本発明の第２の目的は、衛星ディジタル放送受信装置から管理センタ装置への接続においてＩＰ網を使用し、管理センタ装置に対して自動的に通信接続を行うことができる衛星ディジタル放送受信装置を提供することにある。
【０００８】
さらに、本発明の第３の目的は、衛星ディジタル放送受信装置から管理センタ装置への接続においてＩＰ網を使用し、管理センタ装置との間で装置管理情報や装置制御情報を確実に送受信することができる衛星ディジタル放送受信装置を提供することにある。
【０００９】
またさらに、本発明の第４の目的は、既存の衛星ディジタル放送受信装置を用いて、簡単に、衛星ディジタル放送受信装置から管理センタ装置への接続においてＩＰ網を使用することができるＶｏＩＰアダプタ装置を提供することにある。
【課題を解決するための手段】
【００１０】
本発明に係る衛星ディジタル放送受信装置は、衛星ディジタル放送を視聴するときに必要な装置管理情報や装置制御情報を、当該装置管理情報や装置制御情報を管理する管理センタ装置と送受信する通信回路を備えた衛星ディジタル放送受信装置において、
上記通信回路は、ＩＰ（Internet Protocol）網に接続され、装置管理情報を含むデータをＶｏＩＰ（Voice over Internet Protocol）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信するＶｏＩＰインターフェース回路を備えたことを特徴とする。
【００１１】
上記衛星ディジタル放送受信装置において、上記ＶｏＩＰインターフェース回路は、装置管理情報を含むデータを上記ＩＰ網、ゲートウエイ装置、公衆電話網及び上記アクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介して受信することを特徴とする。
【００１２】
また、上記衛星ディジタル放送受信装置において、上記ＶｏＩＰパケット信号は、装置管理情報又は装置制御情報のデータに、ＩＰヘッダ、ＵＤＰヘッダ及びＲＴＰヘッダが付加されて構成されたことを特徴とする。
【００１３】
さらに、上記衛星ディジタル放送受信装置において、上記アクセスポイント通信装置の電話番号を格納する記憶装置と、上記電話番号から上記ゲートウエイ装置のアドレスを発生する制御手段とを備え、上記ＶｏＩＰインターフェース回路は、上記発生されたアドレスを宛先アドレスとして用いて、上記装置管理情報を含むデータを含むＶｏＩＰパケット信号を上記ＩＰ網を介して上記ゲートウエイ装置に送信することを特徴とする。とって代わって、上記衛星ディジタル放送受信装置において、上記アクセスポイント通信装置の電話番号を格納する記憶装置と、上記電話番号を含む問い合わせ信号を所定のサーバ装置に送信して、これに応答して返信される上記ゲートウエイ装置のアドレスを受信する制御手段とを備え、上記ＶｏＩＰインターフェース回路は、上記受信されたアドレスを宛先アドレスとして用いて、上記装置管理情報を含むデータを含むＶｏＩＰパケット信号を上記ＩＰ網を介して上記ゲートウエイ装置に送信することを特徴とする。
【００１４】
さらに、上記衛星ディジタル放送受信装置において、上記ＶｏＩＰインターフェース回路は、上記装置管理情報を含むデータを複数のＶｏＩＰパケットに分割して伝送し、上記管理センタ装置からの肯定応答信号に応答して次のＶｏＩＰパケット信号を送信することを特徴とする。
【００１５】
第２の発明に係るＶｏＩＰアダプタ装置は、衛星ディジタル放送を視聴するときに必要な装置管理情報や装置制御情報を、当該装置管理情報や装置制御情報を管理する管理センタ装置と送受信する通信回路を備えた衛星ディジタル放送受信装置のためのＶｏＩＰアダプタ装置であって、
上記通信回路に接続される電話モデムと、
上記電話モデム及びＩＰ（Internet Protocol）網に接続されたＶｏＩＰインターフェース回路とを備え、
上記ＶｏＩＰインターフェース回路は、上記通信回路から上記電話モデムを介して受信される装置管理情報を含むデータをＶｏＩＰ（Voice over Internet Protocol）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信して、上記電話モデムを介して上記通信回路に出力することを特徴とする。
【００１６】
上記ＶｏＩＰアダプタ装置において、上記ＶｏＩＰインターフェース回路は、装置管理情報を含むデータを上記ＩＰ網、ゲートウエイ装置、公衆電話網及び上記アクセスポイント通信装置を介して上記管理センタ装置に対して送信するとともに、装置制御情報を含むデータを上記管理センタ装置から上記アクセスポイント通信装置、上記公衆電話網、上記ゲートウエイ装置及び上記ＩＰ網を介して受信することを特徴とする。
【００１７】
また、上記ＶｏＩＰアダプタ装置において、上記ＶｏＩＰパケット信号は、装置管理情報又は装置制御情報のデータに、ＩＰヘッダ、ＵＤＰヘッダ及びＲＴＰヘッダが付加されて構成されたことを特徴とする。
【発明の効果】
【００１８】
従って、本発明に係る衛星ディジタル放送受信装置によれば、衛星ディジタル放送を視聴するときに必要な装置管理情報や装置制御情報を、当該装置管理情報や装置制御情報を管理する管理センタ装置と送受信する通信回路を備えた衛星ディジタル放送受信装置において、上記通信回路は、ＩＰ（Internet Protocol）網に接続され、装置管理情報を含むデータをＶｏＩＰ（Voice over Internet Protocol）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信するＶｏＩＰインターフェース回路を備える。従って、装置管理情報や装置制御情報の送受信のために、衛星ディジタル放送受信装置から管理センタ装置への接続においてＩＰ網を使用することができるので、従来技術に比較して、装置管理情報や装置制御情報の送受信に係る通信料を大幅に軽減できる。
【発明を実施するための最良の形態】
【００１９】
以下、本発明に係る実施形態について図面を参照して説明する。なお、以下の各実施形態において、同様の構成要素については同一の符号を付している。
【００２０】
第１の好ましい実施形態．
図１は、本発明の第１の好ましい実施形態に係る衛星ディジタル放送受信装置１００と、管理センタ装置８０との間の通信システムの構成を示すブロック図である。第１の好ましい実施形態に係る衛星ディジタル放送受信装置１００は、例えばパラボラアンテナなどの衛星受信アンテナ１１０を用いて衛星ディジタル放送の放送信号を受信してその映像信号及び音声信号をテレビジョン受像機１４０に出力するための装置である。当該衛星ディジタル放送受信装置１００は、衛星ディジタル放送装置１００に具備されたＩＣカードインターフェース回路１７のカードスロット１７ａに挿入されたＩＣカード１２０に記録、保存される有料放送の視聴履歴情報などの装置管理情報を、それらの情報を管理する視聴情報収集センタの管理センタ装置８０にアップロードするとともに、当該管理センタ装置８０から次回のアップロード日時、有料放送視聴の有効期限などの装置制御情報をダウンロードする機能を有し、特に、装置管理情報や装置制御情報を含むデータを、ＩＰ網５０を介して管理センタ装置８０とＶｏＩＰ（Voice over Internet Protocol）パケット信号を用いて送受信するためのＶｏＩＰ（Voice over Internet Protocol）インターフェース回路１６を備えたことを特徴としている。
【００２１】
図１において、衛星ディジタル放送受信装置１００のＶｏＩＰインターフェース回路１６は、例えばＳＩＰ（Session Initiation Protocol）、ＩＴＵ−Ｔ勧告Ｈ．３２３などの呼制御プロトコルを用いて通信端末装置間でＶｏＩＰ通信を実行するための呼制御サーバ装置３０を備えたＩＰ網５０を介してゲートウエイ装置４０に接続されている。ゲートウエイ装置４０は、ＩＰ網５０と公衆電話網６０との間の通信プロトコル変換を実行する関門通信制御装置であって、ゲートウエイ装置４０は公衆電話網６０、アクセスポイント通信装置７０、及び独自の収集ネットワークの通信回線９０を介して管理センタ装置８０に接続されている。
【００２２】
図２は、図１の衛星ディジタル放送受信装置１００の詳細構成を示すブロック図である。
【００２３】
図２において、衛星受信アンテナ１１０を用いて受信された衛星ディジタル放送の放送信号はチューナ１１に入力される。チューナ１１は、入力される放送信号に対して低雑音高周波増幅、低域周波数変換、中間増幅、ディジタル復調などの信号処理を実行した後、処理後のベースバンド信号をデスクランブラ１２に出力する。デスクランブラ１２は、コントローラ１０からの制御信号に基づいて、入力されるベースバンド信号に対してデスクランブル処理を実行して、デスクランブルを解除したベースバンド信号を発生してデマルチプレクサ１３に出力する。デマルチプレクサ１３は、入力されるベースバンド信号を多重分離処理を実行することにより複数のチャンネルの放送番組信号と種々のデータ信号（識別データや個別データを含む。）を分離して、後者のデータ信号をコントローラ１０に出力するとともに、前者の複数のチャンネルの放送番組信号のうち、コントローラ１０からの選択信号に基づいて選択された放送番組信号を映像及び音声デコーダ１４に出力する。映像及び音声デコーダ１４は入力される放送番組信号を映像信号及び音声信号に復号化した後、映像及び音声出力混合器１５を介してテレビジョン受像機１４０に出力する。さらに、表示出力コントローラ２０は、コントローラ１０からの表示情報に基づいて当該表示情報を含む映像信号を発生し、それを映像及び音声出力混合器１５において放送番組信号の映像信号に重畳させて出力する。
【００２４】
キーボードインターフェース回路２１にはキーボード（図示せず。）が接続され、ユーザが、当該衛星ディジタル放送受信装置１００の制御指示情報を入力するためのキーボードを用いて入力される制御指示情報を所定のディジタル信号に変換してコントローラ１０に出力する。また、リモートコントローラ１３０は、例えば赤外線信号を用いた遠隔制御指示情報の入力装置であり、ユーザがリモートコントローラ１３０を用いて入力される制御指示情報を所定のディジタル赤外線信号に変換して赤外線信号受光部２２に向かって放射する。赤外線信号受光部２２はリモートコントローラ１３０からの赤外線信号を受光して電気信号に変換した後、リモートコントローラ信号受信機回路２３に出力する。リモートコントローラ信号受信機回路２３は入力される電気信号をデコードして制御指示情報のデータを抽出してコントローラ１０に出力する。これに応答して、コントローラ１０は制御指示情報のデータに基づいて衛星ディジタル放送受信装置１００内の各部を制御する。
【００２５】
ＩＣカードインターフェース回路１７はＩＣカード１２０を挿入するためのカードスロット１７ａを備える。ＩＣカード１２０は衛星ディジタル放送の有料放送を視聴するために必要な情報を記録、保存するためのメモリカードであって、管理センタ装置８０と接続するためのアクセスポイント通信装置７０の電話番号の情報（視聴情報収集センタにおいてＩＣカード１２０に当該衛星ディジタル放送受信装置１００のユーザのために予め当該電話番号の情報が記憶される。）と、当該衛星ディジタル放送受信装置１００においてユーザにより視聴される有料放送の視聴履歴情報などの装置管理情報を記憶する。当該装置管理情報は、詳細後述するように、ＶｏＩＰインターフェース回路１６及びＩＰ網５０を介して、当該装置管理情報を管理する視聴情報収集センタの管理センタ装置８０にアップロードされる一方、当該管理センタ装置８０からＩＰ網５０及びＶｏＩＰインターフェース回路１６を介して送信されてくる、次回のアップロード日時、有料放送視聴の有効期限などの装置制御情報が当該衛星ディジタル放送受信装置１００にダウンロードされ、ＩＣカードインターフェース回路１７を介してＩＣカード１２０に格納される。ここで、ＶｏＩＰインターフェース回路１６は、コントローラ１０からの制御により動作し、装置管理情報や装置制御情報をＩＰ網５０を介して管理センタ装置８０とＶｏＩＰパケット信号を用いて送受信するために設けられる。
【００２６】
図３は、図１の呼制御サーバ装置３０の詳細構成を示すブロック図である。図３において、呼制御サーバ装置３０は、その装置全体を制御するコントローラ３１と、例えば図５に示すようなアクセスポイント通信装置７０の電話番号からゲートウエイ装置７０のＵＲＬ（Uniform Resource Locators）に変換するための管理テーブル３２を少なくとも格納した管理テーブルメモリ３２と、例えばＳＩＰの通信手順又はＩＴＵ−Ｔ勧告Ｈ．３２３の通信手順を用いて、ＩＰ網５０を介して衛星ディジタル放送受信装置１００のＶｏＩＰインターフェース回路１６及びゲートウエイ装置４０とインターネットプロトコルを用いてＩＰ通信を行うためのＩＰ通信回路３３とを備えて構成される。
【００２７】
図４は、ゲートウエイ装置４０の詳細構成を示すブロック図である。図４において、ゲートウエイ装置４０は、その装置全体を制御するコントローラ４１と、例えばアクセスポイント通信装置７０の電話番号を格納した管理テーブルメモリ４２と、ＩＰ網５０を介して衛星ディジタル放送受信装置１００のＶｏＩＰインターフェース回路１６とインターネットプロトコルを用いてＩＰ通信を行うためのＩＰ通信回路３３と、アクセスポイント通信装置７０の電話モデムと公衆電話網６０を介してデータ通信を行う電話モデム４４とを備えて構成される。ゲートウエイ装置４０のコントローラ４１は、ＩＰ網５０と公衆電話網６０との間の通信信号や通信手順の変換処理を実行しながら、衛星ディジタル放送受信装置１００と管理センタ装置８０との間で通信される各種データ信号を中継する。
【００２８】
図５は、図３の管理テーブルメモリ３２に格納される管理テーブルの一例を示す図である。図５に示すように、管理センタ装置８０と接続するためのアクセスポイント通信装置７０の電話番号をゲートウエイ装置４０のＵＲＬに変換するための管理テーブルであり、各電話番号毎にＵＲＬが格納されている。
【００２９】
図６は、図１の通信システムにおいて衛星ディジタル放送受信装置１００と呼制御サーバ装置３０との間で実行されるゲートウエイ装置４０の宛先ＵＲＬを得るための通信シーケンスを示すシーケンス図である。図６に示すように、衛星ディジタル放送受信装置１００のコントローラ１０は、ＶｏＩＰインターフェース回路１６を用いてＩＰ網５０を介して、例えば呼制御サーバ装置３０（呼制御サーバ装置３０に代えて、ＩＰ網５０に接続された所定のサーバ装置であってもよい。）に対して、管理センタ装置８０と接続するためのアクセスポイント通信装置７０の電話番号（ＩＣカード１２０に予め記憶されている。）を含む情報問い合わせ信号を、インターネットプロトコルの通信手順で呼制御サーバ装置３０に対して送信する。これに応答して、呼制御サーバ装置３０は、管理テーブルメモリ３１内の管理テーブル３１Ａを参照して受信した電話番号に対応するＵＲＬを含む情報返信信号をＩＰ網５０を介して衛星ディジタル放送受信装置１００に対して返信する。以上の通信手順により、衛星ディジタル放送受信装置１００のコントローラ１０は、管理センタ装置８０と接続するためのアクセスポイント通信装置７０の電話番号に対応するゲートウエイ装置４０のＵＲＬの情報を得ることができる。
【００３０】
図７は、図１の通信システムにおいて衛星ディジタル放送受信装置１００からゲートウエイ装置４０に対して装置管理情報（ＡＭＩ：Apparatus Management Information）を送信するときのパケット信号の信号フォーマットを示す図である。図７において、図７（ａ）はパケット信号全体の信号フォーマットであり、図７（ｂ）は当該パケット信号のデータ２０４の詳細フォーマットである。図７（ａ）に示すように、データ２０４の前に、ＲＴＰ（Realtime Transport Protocol）ヘッダ２０３、ＩＰ（Internet Protocol）ヘッダ２０２及びＵＤＰ（User Datagram Protocol）ヘッダ２０１が付与されている。ここで、図７（ａ）に示されるヘッダ２０１，２０２，２０３はゲートウエイ装置４０でＩＰ網５０での通信が終端される際に外され、ゲートウエイ装置４０から管理センタ装置８０までの区間では、図７（ｂ）示されるデータ２０４のみが伝送される。
【００３１】
図７（ｂ）のデータ２０４の信号フォーマットにおいては、衛星ディジタル放送受信装置１００から管理センタ装置８０にＶｏＩＰパケット信号を使用して装置管理情報をアップロードするときに、コントローラ１０がＩＣカード１２０から読み出した装置管理情報（ＡＭＩ）２１４に、管理センタ装置８０に伝送するためのデータ２１１，２１２，２１３，２１５，２１６を付加する。ここで、付加するデータ２１１，２１２，２１３，２１５，２１６において、データ２１１の”ＤＬＥ  ＳＴＸ”にはデータ開始を示す”１００２Ｈ”のデータが格納され、データ２１２の”ＢＮ”には、０Ｄから開始しパケット毎に１ずつ増え２５５Ｄまでの装置管理情報のブロックシリアル番号のデータが格納され、データ２１３の”ＢＮ＿”にはデータ”ＢＮ”の１の補数のデータが格納される。また、装置管理情報（ＡＭＩ）のデータ２１４にはＩＣカード１２０から読み出したデータ（最大２０４８バイト）が格納され、データ２１５の”ＤＬＥ  ＥＴＸ”にはデータ終了を示す１００３Ｈのデータが格納され、データ２１６の”ＣＲＣ”には装置管理情報（ＡＭＩ）のデータ２１４を対象に計算する巡回冗長検査符号のデータ（２バイト）が格納される。
【００３２】
図８は、図１の通信システムにおいて衛星ディジタル放送受信装置１００と管理センタ装置８０との間の通信を示す通信シーケンスを示すシーケンス図である。衛星ディジタル放送受信装置１００から呼制御サーバ装置３０を介してゲートウエイ装置４０までのＩＰ網５０では、ＶｏＩＰの通信手順によりＶｏＩＰパケット信号を用いて、パケット信号の送受信により通信が実行され、ゲートウエイ装置４０から公衆電話網６０、アクセスポイント通信装置７０及び独自の収集ネットワークの通信回線９０を介して管理センタ装置８０までは公衆電話網６０を介して、上記の先行技術文献である非特許文献１に記載された標準規格に規定された独自の通信手順や信号フォーマットを用いて通信が実行される。
【００３３】
図８において、図６の情報問い合わせによりゲートウエイ装置４０のＵＲＬを得た後、回線接続フェーズにおいて、上記ＵＲＬを含む発呼信号を呼制御サーバ装置３０に送信する。これに応答して、呼制御サーバ装置３０は接続要求信号をゲートウエイ装置４０に送信し、ゲートウエイ装置４０は接続要求信号をアクセスポイント通信装置７０を介して管理センタ装置８０に送信する。これに応答して、管理センタ装置８０は応答可能であれば、応答信号をアクセスポイント通信装置７０を介してゲートウエイ装置４０に送信する。さらに、ゲートウエイ装置４０は応答信号を呼制御サーバ装置３０に送信し、これに応答して呼制御サーバ装置３０は応答信号を衛星ディジタル放送受信装置１００に返信する。以上で衛星ディジタル放送受信装置１００と管理センタ装置８０との間で通信のセッション接続が確立する。
【００３４】
次いで、通信フェーズにおいて、認証手順の通信が衛星ディジタル放送受信装置１００と管理センタ装置８０との間で実行された後、装置管理情報を含むアップロード信号が衛星ディジタル放送受信装置１００から管理センタ装置８０に送信され、これに応答して、装置制御情報を含むダウンロード信号が管理センタ装置８０から衛星ディジタル放送受信装置１００に送信され、当該装置制御情報はＩＣカード１２０に格納される。そして、衛星ディジタル放送受信装置１００は切断要求信号を管理センタ装置８０に送信し、これに応答して、回線切断フェーズが開始し、管理センタ装置８０は、アクセスポイント通信装置７０、ゲートウエイ装置４０及び呼制御サーバ装置３０を介して衛星ディジタル放送受信装置１００に送信し、当該回線接続が切断される。
【００３５】
図９は、図８の通信シーケンスにおいて装置管理情報（ＡＭＩ）のアップロードの通信シーケンスを示すシーケンス図である。
【００３６】
図９において、問い合わせ信号（ＥＮＱ）にはデータ”０５Ｈ”が格納され、問い合わせ信号（ＥＮＱ）は衛星ディジタル放送受信装置１００からゲートウエイ装置４０を介して管理センタ装置８０に最初に伝送される。これに応答して、管理センタ装置８０は肯定応答信号（ＡＣＫ）をゲートウエイ装置４０を介して衛星ディジタル放送受信装置１００に返信する。次いで、装置管理情報（ＡＭＩ）が衛星ディジタル放送受信装置１００からゲートウエイ装置４０を介して管理センタ装置８０に伝送されるが、このとき、装置管理情報（ＡＭＩ）は複数のパケットに分割して伝送され、各パケットの受信毎に、管理センタ装置８０は、装置管理情報（ＡＭＩ）を受信したことを通知する肯定応答信号（ＡＣＫ）をゲートウエイ装置４０を介して衛星ディジタル放送受信装置１００に返信し、ここで、当該肯定応答信号（ＡＣＫ）にはデータ”０６Ｈ”が格納される。さらに、伝送終了を表すテキスト終了信号（ＥＯＴ）が衛星ディジタル放送受信装置１００からゲートウエイ装置４０を介して管理センタ装置８０に伝送され、当該テキスト終了信号（ＥＯＴ）にはデータ”０４Ｈ”が格納される。これに応答して管理センタ装置８０は肯定応答信号（ＡＣＫ）をゲートウエイ装置４０を介して衛星ディジタル放送受信装置１００に返信する。
【００３７】
ところで、ＵＤＰヘッダ２０１を用いてデータを伝送する場合、ベストエフォート型の伝送であるために、ゲートウエイ装置４０に届くまでにデータの誤りや抜けが発生することがある。このため、衛星ディジタル放送受信装置１００が装置管理情報をアップロードし、応答信号（ＡＣＫ）を受信してから次のブロックシリアル番号のデータを伝送し、もしくは、衛星ディジタル放送受信装置１００が問い合わせ信号（ＥＮＱ）又は装置管理情報（ＡＭＩ）を送信してから、肯定応答信号（ＡＣＫ）を受信するまでの時間をタイマーなどで監視し、１０秒以上経過すると装置管理情報（ＡＭＩ）を再送するようにコントローラ１０により制御する。なお、装置管理情報（ＡＭＩ）の再送は３回まで行い、３回を超えると、一旦回線接続を切断することが好ましい。
【００３８】
また、装置制御情報のダウンロードも同様に、図７（ａ）に示すＵＤＰヘッダ、ＩＰヘッダ、ＲＴＰヘッダが付加された装置制御情報（図７（ａ）において装置管理情報（ＡＭＩ）に代えて装置制御情報が格納される。）を含むパケットが管理センタ装置８０から衛星ディジタル放送受信装置１００に送信され、これに応答して、衛星ディジタル放送受信装置１００が当該パケットを受信すると、管理センタ装置８０に対して肯定応答信号（ＡＣＫ）を返信する。上記と同様に、衛星ディジタル放送受信装置１００のコントローラ１０において、装置制御情報の受信をタイマーで監視し、１０秒以上経過しても受信できない場合は、否定応答信号（ＮＡＱ（１５Ｈ））を管理センタ装置８０に対して送信することにより再送要求を行う。衛星ディジタル放送受信装置１００が否定応答信号（ＮＡＱ）を３回管理センタ装置８０に送信しても、データが受信できない場合は、一旦回線接続を切断する。
【００３９】
図１０は、第１の変形例に係る、管理センタ装置８０と接続するためのアクセスポイント通信装置７０の電話番号からゲートウエイ装置４０のＩＰアドレスに変換する変換方法を示す図である。図１１は、例えば図３の呼制御サーバ装置３０の管理テーブルメモリ３２に格納され、図１０の変換方法を用いるＩＰアドレス変換テーブル３２Ａの一例を示す図であって、図１１（ａ）は市外局番のＩＰアドレス変換テーブル３２Ａ−１の一例を示す図であり、図１１（ｂ）は市内局番のＩＰアドレス変換テーブル３２Ａ−２の一例を示す図であり、図１１（ｃ）は加入者番号の上位番号のＩＰアドレス変換テーブル３２Ａ−３の一例を示す図であり、図１１（ｄ）は加入者番号の下位番号のＩＰアドレス変換テーブル３２Ａ−４の一例を示す図である。
【００４０】
図１１に示すように、市外局番、市内局番と、加入者番号の上位２桁を上位番号とし、その下位２桁を下位番号とし、それぞれに対応したＩＰアドレスの対応を示す管理テーブル３２Ａ（例えば、呼制御サーバ装置３０の管理テーブルメモリ３１に格納される。）を用いて、電話番号情報からゲートウエイ装置４０の宛先ＩＰアドレスを得ることができる。図１０の例では、例えば、電話番号ＡＢＣ−ＤＥＦ−ＧＨＪＫから宛先ＩＰアドレス１１１．２１１．３１．４１を得ている。この管理テーブル３１Ａを、例えば呼制御サーバ装置３０の管理テーブルメモリ３１に格納して、衛星ディジタル放送受信装置１００が呼制御サーバ装置３０に問い合わせ、返信を受けてゲートウエイ装置４０の宛先ＩＰアドレスを得ることができる。
【００４１】
図１２は、第２の変形例に係る管理センタ装置８０と接続するためのアクセスポイント通信装置７０の電話番号からゲートウエイ装置４０のＵＲＬに変換する変換方法を示す図である。図１２に示すように、加入者番号を＠の前に配置し、＠のうしろに、市内局番、市外局番をドットをはさんで並置することによりドメイン名としたＵＲＬを得る。図１２の例では、例えば、電話番号ＡＢＣ−ＤＥＦ−ＧＨＪＫから宛先ＵＲＬＧＨＪＫ＠ＤＥＦ．ＡＢＣを得ている。
【００４２】
図１３は、第３の変形例に係る管理センタ装置８０と接続するためのアクセスポイント通信装置７０の電話番号からゲートウエイ装置４０のＵＲＬに変換する変換方法を示す図である。図１３に示すように、加入者番号を＠の前に配置し、＠のうしろに市内局番、市外局番をドットをはさんで並置してドメイン名としたＵＲＬを得る。図１３では、例えば、電話番号ＡＢＣ−ＤＥＦ−ＧＨＪＫから宛先ＵＲＬｃｃｃ＠ｂｂｂ．ａａａを得ている。
【００４３】
図１３の変換方法は、衛星ディジタル放送受信装置１００のコントローラ１０自身により実行することが可能であるが、これに代えて、図１３の変換方法を図１４の管理テーブル３２ｂを例えばコントローラ１０内のメモリに格納し、もしくは例えば呼制御サーバ装置３０などの他のサーバ装置に格納して、図６と同様に問い合わせ手順を用いてＵＲＬを得てもよい。
【００４４】
図１４は、例えば図３の呼制御サーバ装置３０の管理テーブルメモリ３２に格納され、図１３の変換方法を用いるＩＰアドレス変換テーブル３２Ｂの一例を示す図であって、図１４（ａ）は市外局番のＩＰアドレス変換テーブル３２Ｂ−１の一例を示す図であり、図１４（ｂ）は市内局番のＩＰアドレス変換テーブル３２Ｂ−２の一例を示す図であり、図１４（ｃ）は加入者番号のＩＰアドレス変換テーブル３２Ｂ−３の一例を示す図である。図１４の例では、電話番号を市外局番、市内局番、加入者番号に分割して、電話番号からＵＲＬ又はＩＰアドレスを得ることができる。
【００４５】
以上説明したように、この好ましい実施形態によれば、装置管理情報や装置制御情報の送受信のために、衛星ディジタル放送受信装置１００から管理センタ装置８０への接続においてＩＰ網を使用することができるので、従来技術に比較して、装置管理情報や装置制御情報の送受信に係る通信料を大幅に軽減できる。
【００４６】
また、この好ましい実施形態によれば、衛星ディジタル放送受信装置から管理センタ装置への接続においてＩＰ網を使用し、例えば呼制御サーバ装置３０などのサーバ装置に対して問い合わせを行ってゲートウエイ装置４０のＵＲＬ又はＩＰアドレスを得て、もしくは、衛星ディジタル放送受信装置１００のコントローラ１０自身によりのＵＲＬ又はＩＰアドレスを発生することができるので、管理センタ装置８０に対して自動的に通信接続を行うことができるので、きわめて簡単に装置管理情報や装置制御情報の送受信を実行できる。
【００４７】
さらに、この好ましい実施形態によれば、衛星ディジタル放送受信装置１００から管理センタ装置８０への接続においてＩＰ網を使用し、装置管理情報を複数のパケットに分割して伝送し、管理センタ装置８０からの肯定応答信号に応答して次のパケットを送信するようにしたので、管理センタ装置８０との間で装置管理情報や装置制御情報を確実に送受信することができる。
【００４８】
以上の好ましい実施形態においては、ＶｏＩＰインターフェース回路１６は直接にＩＰ網５０に接続されているが、本発明はこれに限らず、ルータ装置や無線ＬＡＮ装置を介してＩＰ網５０に接続されてもよい。
【００４９】
第２の好ましい実施形態．
図１５は、本発明の第２の好ましい実施形態に係る衛星ディジタル放送受信装置１００Ａと、管理センタ装置８０との間の通信システムの構成を示すブロック図であり、図１６は、図１５の衛星ディジタル放送受信装置１００Ａの詳細構成を示すブロック図である。
【００５０】
第２の好ましい実施形態に係る通信システムは、図１の通信システムに比較して、衛星ディジタル放送受信装置１００Ａと、ＩＰ網５０との間にＶｏＩＰアダプタ装置１５０を挿入したことを特徴としている。すなわち、図１６に示すように、装置管理情報や装置制御情報の送受信のための電話モデム１６Ａを有しているが、図２のＶｏＩＰインターフェース回路１６を有しない既存の衛星ディジタル放送受信装置１００Ａにおいて、ＶｏＩＰの通信手順によりＶｏＩＰパケット信号を用いてＩＰ網５０を介して装置管理情報や装置制御情報を送受信するために、ＶｏＩＰアダプタ装置１５０のみを追加するものである。衛星ディジタル放送受信装置１００Ａのその他の構成は、図１の衛星ディジタル放送受信装置１００と同様であり、その詳細説明を省略する。なお、電話モデム１６Ａは、図２のＶｏＩＰインターフェース回路１６に代えて、電話網のインターフェースを用いて上述の各種の信号を送受信するための通信回路である。
【００５１】
図１５において、ＶｏＩＰアダプタ装置１５０は、その装置全体を制御するコントローラ１５１と、衛星ディジタル放送受信装置１００Ａの電話モデム１６Ａと電話データ通信を行う電話モデム１５２と、例えばＳＩＰの通信手順又はＩＴＵ−Ｔ勧告Ｈ．３２３の通信手順を用いて、ＩＰ網５０を介してゲートウエイ装置４０とインターネットプロトコルを用いてＩＰ通信を行うためのＶｏＩＰインターフェース回路１５３とを備えて構成される。
【００５２】
図１７は、図１５の通信システムにおいて衛星ディジタル放送受信装置１００Ａと管理センタ装置８０との間の通信を示す通信シーケンスを示すシーケンス図である。図１７の通信シーケンスは、図８の通信シーケンスとの比較から明らかなように、ＶｏＩＰアダプタ装置１５０の挿入により、各パケット信号が当該ＶｏＩＰアダプタ装置１５０により中継されることを除いて同様に実行される。すなわち、ＶｏＩＰインターフェース回路１５３は、衛星ディジタル放送受信装置１００Ａのコントローラ１０から電話モデム１６Ａ、電話モデム１５２を介して受信される装置管理情報を含むデータをＶｏＩＰパケット信号を用いてＩＰ網５０、ゲートウエイ装置４０及びアクセスポイント通信装置７０を介して管理センタ装置８０に対して送信するとともに、装置制御情報を含むデータを管理センタ装置８０からアクセスポイント通信装置７０、ゲートウエイ装置４０及びＩＰ網５０を介してＶｏＩＰパケット信号を用いて受信して、電話モデム１５２及び電話モデム１６Ａを介して衛星ディジタル放送受信装置１００Ａのコントローラ１０に出力する。
【００５３】
以上説明したようにこの好ましい実施形態によれば、既存の衛星ディジタル放送受信装置１００Ａに接続するＶｏＩＰアダプタ装置１５０を備えたので、既存の衛星ディジタル放送受信装置１００Ａを用いて、簡単に、衛星ディジタル放送受信装置から管理センタ装置への接続においてＩＰ網を使用することができ、それ故、従来技術に比較して、装置管理情報や装置制御情報の送受信に係る通信料を大幅に軽減できる。
【００５４】
第３の好ましい実施形態．
図１８は、本発明の第３の好ましい実施形態に係る衛星ディジタル放送受信装置１００と、管理センタ装置８０との間の通信システムの構成を示すブロック図である。
【００５５】
第３の好ましい実施形態に係る通信システムは、図１の通信システムに比較して、公衆電話網６０を使用せず、ゲートウエイ装置４０の機能を、ＩＰ網５０に接続されたアクセスポイント通信装置７０Ａに持たせたことを特徴としている。この相違点について以下に詳細説明する。
【００５６】
この好ましい実施形態においては、ＩＣカード１２０に記録されている宛先はアクセスポイント通信装置７０Ａの電話番号ではなく、アクセスポイント通信装置７０ＡのＵＲＬ又はＩＰアドレスである。ＶｏＩＰインターフェース回路１６はアクセスポイント通信装置７０ＡのＵＲＬ又はＩＰアドレスを用いてＩＰ網５０及び呼制御サーバ３０を介してアクセスポイント通信装置７０Ａにアクセスして、ＶｏＩＰパケット信号を用いて装置管理情報や装置制御情報のデータを送受信することを特徴としている。また、アクセスポイント通信装置７０Ａ、ＩＰ網５０と管理センタ装置８０との間の通信信号や通信手順の変換処理を実行しながら、衛星ディジタル放送受信装置１００と管理センタ装置８０との間で通信される各種データ信号を中継する。この場合において、ＩＰ網５０において送受信されるパケット信号の信号フォーマットは、図７（ｂ）において、データ２１１，２１２，２１３，２１５，２１６を削除した信号フォーマットを用いる。
【００５７】
以上のように構成された通信システムでは、上述の第１の好ましい実施形態に係る作用効果を有するとともに、図１の好ましい実施形態に比較して、システム構成がきわめて簡単になるという特有の効果を奏する。
【００５８】
なお、図１９に示すように、図１８の衛星ディジタル放送受信装置１００を図１５の衛星ディジタル放送受信装置１００Ａとし、その電話モデム１６ＡとＩＰ網５０との間においてＶｏＩＰアダプタ装置１５０を挿入した構成としてもよい（以下、第３の好ましい実施形態の変形例という。）。
【００５９】
また、ＩＣカード１２０には、アクセスポイント通信装置７０Ａの電話番号、ＵＲＬ、ＩＰアドレスの全てが記録されており、図１８の第３の好ましい実施形態の構成であるか、その変形例の構成であるかに依存して、コントローラ１０がアクセスポイント通信装置７０Ａの電話番号、ＵＲＬ、ＩＰアドレスのいずれか適切な情報を選択して用いてもよい。
【００６０】
以上の好ましい実施形態において開示された衛星ディジタル放送受信装置１００，１００Ａは、日本国内の衛星ディジタル放送受信装置のみならず、海外の衛星ディジタル放送受信装置にも適用できる。
【００６１】
以上の好ましい実施形態においては、図７に示すように、データ２０４に対して、ＵＤＰヘッダ２０１、ＩＰヘッダ２０２及びＲＴＰヘッダ２０３を付加してＶｏＩＰパケット信号を構成しているが、本発明はこれに限らず、データ２０４に対してＴＣＰヘッダ及びＩＰヘッダ２０２を付加してＶｏＩＰパケット信号を構成してもよい。
【００６２】
以上の好ましい実施形態においては、衛星ディジタル放送受信装置１００とアクセスポイント通信装置７０との通信で、衛星ディジタル放送受信装置１００が発呼し、呼制御プロトコルを使用することによって、アクセスポイント通信装置７０とリンクを確立する例を示したが、本発明はこれに限らず、ＨＴＴＰを使用してＡＭＩデータを送信してもよい。その場合の通信シーケンスは、図８又は図１７の図面において、回線接続フェーズ及び回線切断フェーズがなく、ＨＴＴＰを使用した通信フェーズのみを用いる。
【産業上の利用可能性】
【００６３】
以上詳述したように、本発明に係る衛星ディジタル放送受信装置によれば、衛星ディジタル放送を視聴するときに必要な装置管理情報や装置制御情報を、当該装置管理情報や装置制御情報を管理する管理センタ装置と送受信する通信回路を備えた衛星ディジタル放送受信装置において、上記通信回路は、ＩＰ（Internet Protocol）網に接続され、装置管理情報を含むデータをＶｏＩＰ（Voice over Internet Protocol）パケット信号を用いて上記ＩＰ網及びアクセスポイント通信装置を介して上記管理センタ装置に対して送信するとともに、装置制御情報を含むデータを上記管理センタ装置から上記アクセスポイント通信装置及び上記ＩＰ網を介してＶｏＩＰパケット信号を用いて受信するＶｏＩＰインターフェース回路を備える。従って、装置管理情報や装置制御情報の送受信のために、衛星ディジタル放送受信装置から管理センタ装置への接続においてＩＰ網を使用することができるので、従来技術に比較して、装置管理情報や装置制御情報の送受信に係る通信料を大幅に軽減できる。
【図面の簡単な説明】
【００６４】
【図１】本発明の第１の好ましい実施形態に係る衛星ディジタル放送受信装置１００と、管理センタ装置８０との間の通信システムの構成を示すブロック図である。
【図２】図１の衛星ディジタル放送受信装置１００の詳細構成を示すブロック図である。
【図３】図１の呼制御サーバ装置３０の詳細構成を示すブロック図である。
【図４】ゲートウエイ装置４０の詳細構成を示すブロック図である。
【図５】図３の管理テーブルメモリ３２に格納される管理テーブルの一例を示す図である。
【図６】図１の通信システムにおいて衛星ディジタル放送受信装置１００と呼制御サーバ装置３０との間で実行されるゲートウエイ装置４０の宛先ＵＲＬを得るための通信シーケンスを示すシーケンス図である。
【図７】図１の通信システムにおいて衛星ディジタル放送受信装置１００からゲートウエイ装置４０に対して装置管理情報（ＡＭＩ）を送信するときの信号フォーマットを示す図である。
【図８】図１の通信システムにおいて衛星ディジタル放送受信装置１００と管理センタ装置８０との間の通信を示す通信シーケンスを示すシーケンス図である。
【図９】図８の通信シーケンスにおいて装置管理情報のアップロードの通信シーケンスを示すシーケンス図である。
【図１０】第１の変形例に係る管理センタ装置８０と接続するためのアクセスポイント通信装置７０の電話番号からゲートウエイ装置４０のＩＰアドレスに変換する変換方法を示す図である。
【図１１】例えば図３の呼制御サーバ装置３０の管理テーブルメモリ３２に格納され、図１０の変換方法を用いるＩＰアドレス変換テーブル３２Ａの一例を示す図であって、図１１（ａ）は市外局番のＩＰアドレス変換テーブル３２Ａ−１の一例を示す図であり、図１１（ｂ）は市内局番のＩＰアドレス変換テーブル３２Ａ−２の一例を示す図であり、図１１（ｃ）は加入者番号の上位番号のＩＰアドレス変換テーブル３２Ａ−３の一例を示す図であり、図１１（ｄ）は加入者番号の下位番号のＩＰアドレス変換テーブル３２Ａ−４の一例を示す図である。
【図１２】第２の変形例に係る管理センタ装置８０と接続するためのアクセスポイント通信装置７０の電話番号からゲートウエイ装置４０のＵＲＬに変換する変換方法を示す図である。
【図１３】第３の変形例に係る管理センタ装置８０と接続するためのアクセスポイント通信装置７０の電話番号からゲートウエイ装置４０のＵＲＬに変換する変換方法を示す図である。
【図１４】例えば図３の呼制御サーバ装置３０の管理テーブルメモリ３２に格納され、図１３の変換方法を用いるＩＰアドレス変換テーブル３２Ｂの一例を示す図であって、図１４（ａ）は市外局番のＩＰアドレス変換テーブル３２Ｂ−１の一例を示す図であり、図１４（ｂ）は市内局番のＩＰアドレス変換テーブル３２Ｂ−２の一例を示す図であり、図１４（ｃ）は加入者番号のＩＰアドレス変換テーブル３２Ｂ−３の一例を示す図である。
【図１５】本発明の第２の好ましい実施形態に係る衛星ディジタル放送受信装置１００Ａと、管理センタ装置８０との間の通信システムの構成を示すブロック図である。
【図１６】図１５の衛星ディジタル放送受信装置１００Ａの詳細構成を示すブロック図である。
【図１７】図１５の通信システムにおいて衛星ディジタル放送受信装置１００Ａと管理センタ装置８０との間の通信を示す通信シーケンスを示すシーケンス図である。
【図１８】本発明の第３の好ましい実施形態に係る衛星ディジタル放送受信装置１００と、管理センタ装置８０との間の通信システムの構成を示すブロック図である。
【図１９】本発明の第３の好ましい実施形態の変形例に係る衛星ディジタル放送受信装置１００Ａと、管理センタ装置８０との間の通信システムの構成を示すブロック図である。
【手続補正３】
【補正対象書類名】図面
【補正対象項目名】全図
【補正方法】変更
【補正の内容】
【図１】
2004030291.tif 000022
【図２】
2004030291.tif 000023
【図３】
2004030291.tif 000024
【図４】
2004030291.tif 000025
【図５】
2004030291.tif 000026
【図６】
2004030291.tif 000027
【図７】
2004030291.tif 000028
【図８】
2004030291.tif 000029
【図９】
2004030291.tif 000030
【図１０】
2004030291.tif 000031
【図１１】
2004030291.tif 000032
【図１２】
2004030291.tif 000033
【図１３】
2004030291.tif 000034
【図１４】
2004030291.tif 000035
【図１５】
2004030291.tif 000036
【図１６】
2004030291.tif 000037
【図１７】
2004030291.tif 000038
【図１８】
2004030291.tif 000039
【図１９】
2004030291.tif 000040
【国際調査報告】
2004030291.tif 000041
2004030291.tif 000042